(57)【特許請求の範囲】
【請求項１】
メダル供給ラインに備えたメダル分配装置の位置にメダル受入口を背面に備えた遊技機とメダル貸し機を設置した遊技機島において、前記メダル分配装置とメダル受入口との間に設けてメダルの補給を中継するメダル補給シュートの構造であって、そのメダル補給シュートは、上部シュートに別体の下部シュートを上下スライド可能に且つ所定高さに保持可能に取り付けた構造であり、しかも上部シュートと下部シュートを左右方向に横長に形成し、下部シュートの吐出口を左右いずれかの偏向位置に形成し、更に上部シュートはメダル分配装置に対して脱着可能で、その取り付けた状態で上部シュートの前後の側壁にメダル分配装置のメダル分配口と連通するメダル取込口をそれぞれ形成し、その前後のメダル取込口に脱着可能に取り付けられる閉塞板を備え、しかも下部シュートの吐出口の真下にメダル受入口を配置するとともに、吐出口の位置がメダル受入口の横幅の範囲内となるようにメダル補給シュートの向きを決定したことを特徴とする、メダル補給シュートの構造。
【請求項２】
上部シュートの左右側壁に複数の掛止穴を縦列に開口し、その掛止穴の列に沿って縦向きのガイドを突設し、下部シュートの左右部に内側へ付勢して前記掛止穴に掛止できる弾性変形可能な掛止片を突設し、その掛止片の近接位置に前記ガイドと嵌合できる縦向きのガイド溝を形成した、請求項１記載のメダル補給シュートの構造。
【発明の詳細な説明】
【技術分野】
【０００１】
本発明は、遊技機島のメダル供給ラインに備えたメダル分配装置と遊技機及びメダル貸し機の背面に備えたメダル受入口との間に設けてメダルの補給を中継するメダル補給シュートの構造に関する。
【背景技術】
【０００２】
従来のメダル補給設備が特許文献１に開示されている。この技術は、遊技機及びメダル貸し機の背面に備えたメダル受入口とメダル分配装置とを蛇腹で脱着可能に接続したことを特徴としている。
【０００３】
ところで、メダル分配装置の位置は予め決まっているが、遊技機及びメダル貸し機のメダル受入口の位置はメーカーや種類によって異なることがあり、メダル供給ラインの高さも遊技店毎に遊技機島の高さが異なることによって、あるいは併設される紙幣搬送ラインとの位置関係で異なることがある。したがって、前記技術では、これらに合う長さの蛇腹を複数種類用意する必要があり、コストがかかる問題があった。また、蛇腹の交換作業は面倒であり、交換や接続を忘れてメダルが漏れると、金属製であるからショートして火災の危険もあった。
【先行技術文献】
【特許文献】
【０００４】
【特許文献１】特開２００４−２３６７８３号公報
【発明の概要】
【発明が解決しようとする課題】
【０００５】
本発明が解決しようとする課題は、従来のこれらの問題点を解消し、遊技機及びメダル貸し機のメダル受入口の位置やメダル供給ラインの高さが異なっても、１種類のメダル補給シュートでメダルを補給できるようにして汎用性を高めることにある。
【課題を解決するための手段】
【０００６】
かかる課題を解決した本発明の構成は、
１）  メダル供給ラインに備えたメダル分配装置の位置にメダル受入口を背面に備えた遊技機とメダル貸し機を設置した遊技機島において、前記メダル分配装置とメダル受入口との間に設けてメダルの補給を中継するメダル補給シュートの構造であって、そのメダル補給シュートは、上部シュートに別体の下部シュートを上下スライド可能に且つ所定高さに保持可能に取り付けた構造であり、しかも上部シュートと下部シュートを左右方向に横長に形成し、下部シュートの吐出口を左右いずれかの偏向位置に形成し、更に上部シュートはメダル分配装置に対して脱着可能で、その取り付けた状態で上部シュートの前後の側壁にメダル分配装置のメダル分配口と連通するメダル取込口をそれぞれ形成し、その前後のメダル取込口に脱着可能に取り付けられる閉塞板を備え、しかも下部シュートの吐出口の真下にメダル受入口を配置するとともに、吐出口の位置がメダル受入口の横幅の範囲内となるようにメダル補給シュートの向きを決定したことを特徴とする、メダル補給シュートの構造
２）  上部シュートの左右側壁に複数の掛止穴を縦列に開口し、その掛止穴の列に沿って縦向きのガイドを突設し、下部シュートの左右部に内側へ付勢して前記掛止穴に掛止できる弾性変形可能な掛止片を突設し、その掛止片の近接位置に前記ガイドと嵌合できる縦向きのガイド溝を形成した、前記１）記載のメダル補給シュートの構造
にある。
【発明の効果】
【０００７】
本発明の構成では、下部シュートをその吐出口がメダル受入口と直近になる高さにスライドして調整し、その位置で保持する。そして、遊技機とメダル貸し機を定位置に設置する。これにより、下部シュートの吐出口の真下にメダル受入口が配置され、メダル分配装置で分配されたメダルが上部シュートと下部シュートを経由してメダル受入口に補給される。このように、下部シュートの高さを調整することで、遊技機とメダル貸し機のメダル受入口の高さやメダル供給ラインの高さが異なっても、１種類のメダル補給シュートで補給できるようになり、低コストで汎用性に優れるものとなる。
【０００８】
又、本発明の構成では、遊技機及びメダル貸し機を定位置に設置した際、下部シュートの吐出口の位置がメダル受入口の横幅の範囲内となるようにメダル補給シュートの向きを決定し、その向きで上部シュートをメダル分配装置に取り付ける。メダル受入口の横幅の範囲から外れる場合はメダル補給シュートの向きを逆にする。このように、メダル補給シュートの向きを変えることで、メダル受入口とメダル分配口の左右位置が異なっても、１種類のメダル補給シュートで補給できるようになり、より汎用性に優れるものとなる。
【０００９】
更に、本発明の構成では、上部シュートをメダル分配装置に取り付ける際、外側となるメダル取込口に閉塞板を取り付ける。メダル供給ラインの左右反対側にメダル補給シュートを前記と同じ向きに取り付ける場合は、閉塞板を反対側のメダル取込口に取り付ける。このように、閉塞板を前後いずれかのメダル取込口に取り付け替えることで、遊技機とメダル貸し機をメダル供給ラインの左右いずれの位置に設置する場合でも、１種類のメダル補給シュートで補給できるようになり、さらに汎用性に優れるものとなる。
【００１０】
本発明の前記２）の構成では、下部シュートの掛止片を外側へ撓ませてガイド溝を上部シュートのガイドと嵌合し、下部シュートをその吐出口がメダル受入口と直近になるようにガイドに沿ってスライドして調整し、その位置で掛止片を離して上部シュートの掛止穴に掛止する。このように、工具等を用いることなく下部シュートの高さを容易に調整してその位置を確実に保持できるから作業性に優れ、従来技術のように蛇腹の交換や接続忘れがない。
【図面の簡単な説明】
【００１１】
【図１】実施例の遊技機島の背面図である。
【図２】実施例のメダル補給シュートの分解斜視図である。
【図３】実施例のメダル補給シュートの取り付け状態を示す斜視図である。
【図４】実施例のメダル補給シュートの取り付け状態を示す斜視図である。
【図５】実施例のメダル補給シュートの取り付け状態を示す一部切欠き側面図である。
【図６】実施例のメダル補給シュートの取り付けパターンを示す説明図である。
【図７】実施例のメダル補給シュートの取り付けパターンを示す説明図である。
【図８】実施例のメダル補給シュートの取り付けパターンを示す説明図である。
【発明を実施するための形態】
【００１２】
以下、本発明を実施するための形態を実施例と図面に基づいて具体的に説明する。
【実施例】
【００１３】
図１は実施例の遊技機島の背面図、図２は実施例のメダル補給シュートの分解斜視図、図３，４は実施例のメダル補給シュートの取り付け状態を示す斜視図、図５は実施例のメダル補給シュートの取り付け状態を示す一部切欠き側面図、図６〜８は実施例のメダル補給シュートの取り付けパターンを示す説明図である。
【００１４】
図中、１０は遊技機、１１はメダル受入口、１２はホッパー、１３はメダル貸し機、２０はメダル供給ライン、２１はメダル供給装置、２２はメダル回収ライン、３０はメダル分配装置、３１はメダル分配口、３２は受け部、４０はメダル補給シュート、４１は上部シュート、４１ａは吐出口、４１ｂはメダル取込口、４１ｃはピン穴、４１ｄは張出片、４１ｅは閉塞板、４１ｆはピン、４１ｇは掛止穴、４１ｈはガイド、４２は下部シュート、４２ａは吐出口、４２ｂは掛止片、４２ｃはガイド溝、ｍはメダルである。
【００１５】
本実施例の遊技機島は、図１に示すように、メダル供給ライン２０に備えたメダル分配装置３０にメダル補給シュート４０を脱着可能に取り付け、各メダル分配装置３０の位置にメダル受入口１１を背面に備えた遊技機１０とメダル貸し機１３を隣設している。メダル供給装置２１で送り出したメダルｍをメダル分配装置３０で分配し、そのメダルｍをメダル補給シュート４０とメダル受入口１１を通じて内部のホッパー１２に補給し、使用後のメダルｍは下方のメダル回収ライン２２でメダル供給装置２１に回収して循環できるようにしている。
【００１６】
メダル補給シュート４０は、図２に示すように、上部シュート４１と下部シュート４２を左右方向に横長に形成し、その吐出口４１ａ，４２ａを左右いずれかの偏向位置に形成している。上部シュート４１の前後の側壁にはメダル取込口４１ｂをそれぞれ開口し、そのメダル取込口４１ｂの内側にピン穴４１ｃを形成するとともに縁部に張出片４１ｄを形成している。閉塞板４１ｅの端部にはピン穴４１ｃに差し込んで固定するためのピン４１ｆを形成している。
【００１７】
上部シュート４１の左右側壁には掛止穴４１ｇを６箇所縦列に開口し、その掛止穴４１ｇの左右位置に縦向きのガイド４１ｈを掛止穴４１ｇの列に沿って突設している。下部シュート４２の左右部には内側へ付勢して掛止穴４１ｇに掛止できる弾性変形可能な掛止片４２ｂを突設し、その掛止片４２ｂの左右位置に前記ガイド４１ｈに嵌合できる縦向きのガイド溝４２ｃを形成している。
【００１８】
以下、遊技機１０の設置を例に図３〜５に基づいて説明すると、まず、遊技機１０を定位置に設置した際、吐出口４２ａの位置がメダル受入口１１の横幅の範囲内となるようにメダル補給シュート４０の向きを決定する。メダル受入口１１の横幅の範囲から外れる場合はメダル補給シュート４０の向きを逆にする。メダル分配装置３０の側壁にはメダル分配口３１が開口され、そのメダル分配口３１の縁部に上部シュート４１を脱着可能に取り付けるための受け部３２が形成されている。その受け部３２に張出片４１ｄを上方から差し込んで固定してメダル分配口３１とメダル取込口４１ｂを連通し、外側となるメダル取込口４１ｂに閉塞板４１ｅを取り付ける。
【００１９】
次に、掛止片４２ｂを外側へ撓ませてガイド溝４２ｃをガイド４１ｈと嵌合し、下部シュート４２をその吐出口４２ａがメダル受入口１１と直近になるようにガイド４１ｈに沿ってスライドして調整し、その位置で掛止片４２ｂを離して掛止穴４１ｇに掛止する。そして、遊技機１０を定位置に設置する。これにより、下部シュート４２の吐出口４２ａの真下にメダル受入口１１が配置され、メダル分配装置３０で分配されたメダルｍが上部シュート４１と下部シュート４２を経由してメダル受入口１１に補給される。
【００２０】
図３に示すのは、メダル供給ライン２０の位置が高いか、又はメダル受入口１１の位置が低い場合に下部シュート４２を下方位置に取り付けた例である。図４に示すのは、メダル供給ライン２０の位置が低いか、又はメダル受入口１１の位置が高い場合に下部シュート４２を上方位置に取り付けた例である。
【００２１】
メダル補給シュート４０の様々な取り付けパターンを図６〜８に示している。図６（ａ）〜（ｃ）に示すのは、メダル受入口１１の高さＨが異なる遊技機１０に応じて下部シュート４２の上下位置を調整した例である。図６（ｃ）は、上部シュート４１の吐出口４１ａの位置がメダル受入口１１と直近であるから、下部シュート４２の取り付けを省略し、上部シュート４１からメダル受入口１１にメダルｍを直接送り込めるようにしている。
【００２２】
図７（ａ），（ｂ）に示すのは、メダル受入口１１の左右位置が異なる遊技機１０に応じてメダル補給シュート４０の向きを変更した例である。メダル補給シュート４０の向きを逆にする場合は、閉塞板４１ｅを反対側のメダル取込口４１ｂに取り付け替える。図８（ａ），（ｂ）に示すのは、高さｈが異なるメダル供給ライン２０に応じて下部シュート４２の上下位置を調整した例であり、図４に示すように、最も高い位置にセットして完全に重ねることもある。
【産業上の利用可能性】
【００２３】
本発明の技術は、メダルを用いて遊技する全ての遊技設備に利用できる。
【符号の説明】
【００２４】
１０  遊技機
１１  メダル受入口
１２  ホッパー
１３  メダル貸し機
２０  メダル供給ライン
２１  メダル供給装置
２２  メダル回収ライン
３０  メダル分配装置
３１  メダル分配口
３２  受け部
４０  メダル補給シュート
４１  上部シュート
４１ａ  吐出口
４１ｂ  メダル取込口
４１ｃ  ピン穴
４１ｄ  張出片
４１ｅ  閉塞板
４１ｆ  ピン
４１ｇ  掛止穴
４１ｈ  ガイド
４２  下部シュート
４２ａ  吐出口
４２ｂ  掛止片
４２ｃ  ガイド溝
ｍ  メダル
【図１】
0005688285.tif 000002
【図２】
0005688285.tif 000003
【図３】
0005688285.tif 000004
【図４】
0005688285.tif 000005
【図５】
0005688285.tif 000006
【図６】
0005688285.tif 000007
【図７】
0005688285.tif 000008
【図８】
0005688285.tif 000009